(57)【要約】      （修正有）【課題】医療用などの微少流量ポンプにおいて、装置の小型化と気体流量を向上できる流体システムを提供する。【解決手段】集積化して作製された流体システムであって、該流体システムは流体の吸入部となる複数の流体誘導ユニット１０ａと排出部の流体流路２０と合流チャンバー３０を有し、該合流チャンバにて流体は蓄積される。蓄積された流体は、複数の分岐通路２０ａ〜２２ｂを介して複数の弁部材５０ａ〜５０ｄによって、流体が排出される。各弁部材は、圧電アクチュエータによって排出孔の開閉を制御するもので、前記流体誘導ユニットは圧電ポンプを構成する。【選択図】図１
2019065846.tif 000002
【特許請求の範囲】
【請求項１】
集積化して作製された、流体システムであって、流体動作領域と流体流路と合流チャンバーと複数の弁部材とを備え、
前記流体動作領域は、少なくとも一つの流体誘導ユニットで構成され、前記流体誘導ユニットが制御されて作動することによって、輸送流体を少なくとも一つの出口孔から排出させ、
前記流体流路は、前記流体動作領域の前記少なくとも一つの出口孔に連通し、且つ複数の分岐通路を有し、前記流体動作領域から輸送された流体を分流して所要の輸送量を形成し、
前記合流チャンバーは、前記流体流路と連通され、流体が前記合流チャンバーの内部に蓄積され、
前記複数の弁部材は、前記複数の分岐通路に設けられ、弁部材の開閉状態を制御することによって、前記複数の分岐通路における流体を輸出させ、
前記弁部材は、通路基材と圧電アクチュエータと連結ロッドとを備え、
前記通路基材は、第１貫通孔と第２貫通孔を有し、前記第１貫通孔と前記第２貫通孔とが互いに離間して設けられ、且つ分岐流路に連通し、通路基材は、チャンバーを更に凹設し、前記チャンバーは、前記第１貫通孔に連通する第１出口と、前記第２貫通孔に連通する第２出口とを設け、
前記圧電アクチュエータは、キャリアと前記キャリアの表面に粘着されている圧電セラミックスとで構成され、且つ前記圧電アクチュエータは前記チャンバーを覆い、
前記連結ロッドは、キャリアの他面に連結され、且つ前記第２出口を挿入して自由に変位でき、前記連結ロッドの一端は、前記第２出口の直径よりも大きい断面積を有するブロッキング部材を有し、前記第２出口を閉じることができ、
前記圧電アクチュエータが作動されることによって、前記連結ロッドのブロッキング部材が連動されて前記第２出口の開閉状態を制御し、流体を分岐流路から輸出させる、
ことを特徴とする流体システム。
【請求項２】
前記流体動作領域は、複数の流体誘導ユニットを直列配置に連接して設けることで流体を輸送する、ことを特徴とする請求項１に記載の流体システム。
【請求項３】
前記流体動作領域は、複数の流体誘導ユニットを並列配置に連接して設けることで流体を輸送する、ことを特徴とする請求項１に記載の流体システム。
【請求項４】
前記流体動作領域は、複数の流体誘導ユニットを直列・並列配置に連接して設けることで流体を輸送する、ことを特徴とする請求項１に記載の流体システム。
【請求項５】
前記流体動作領域は、複数の流体誘導ユニットを環状に配置して設けることで流体を輸送する、ことを特徴とする請求項１に記載の流体システム。
【請求項６】
前記流体動作領域は、複数の流体誘導ユニットをハニカム形状に配置して設けることで流体を輸送する、ことを特徴とする請求項１に記載の流体システム
【請求項７】
請求項１に記載の流体システム、前記流体誘導ユニットは圧電ポンプである、ことを特徴とする請求項１に記載の流体システム。
【請求項８】
前記複数の分岐通路の長さは、所要の特定輸送量に応じて予め設計され、前記複数の分岐通路の幅は、所要の特定輸送量に応じて予め設計される、ことを特徴とする請求項１に記載の流体システム。
【請求項９】
前記複数の弁部材は、制御部によって弁部材の開閉状態を制御し、前記制御部と前記流体誘導ユニットとが集積化された構造に包装される、ことを特徴とする請求項１に記載の流体システム。
【請求項１０】
前記複数の分岐通路は、直列配置、並列配置、直列・並列配置のうちのいずれか一つの配置で構成される、ことを特徴とする請求項１に記載の流体システム。
【請求項１１】
前記連結ロッドのブロッキング部材は、平板形状である、ことを特徴とする請求項１に記載の流体システム。
【請求項１２】
前記連結ロッドのブロッキング部材は、ドーム形状である、ことを特徴とする請求項１に記載の流体システム。
【請求項１３】
集積化して作製された、流体システムであって、少なくとも一つの流体動作領域と、少なくとも一つの流体流路と、少なくとも一つの合流チャンバーと、複数の弁部材とを備え、
前記少なくとも一つの流体動作領域は、、少なくとも一つの流体誘導ユニットで構成され、前記流体誘導ユニットが制御されて作動することによって、輸送流体を少なくとも一つの出口孔から排出させ、
前記少なくとも一つの流体流路は、前記流体動作領域における前記少なくとも一つの出口孔に連通され、且つ複数の分岐通路を有し、前記流体動作領域から輸送された流体を分流して所要の輸送量を形成し、
前記少なくとも一つの合流チャンバーは、前記流体流路と連通され、流体が前記合流チャンバーの内部に蓄積される、
前記複数の弁部材は、前記複数の分岐通路に設けられ、弁部材の開閉状態を制御することによって、前記複数の分岐通路における流体を輸出させ、
前記弁部材は、少なくとも一つの通路基材と少なくとも一つの圧電アクチュエータと少なくとも一つの連結ロッドとを備え、
前記少なくとも一つの通路基材は、少なくとも一つの第１貫通孔と少なくとも一つの第２貫通孔を有し、前記少なくとも一つの第１貫通孔と前記少なくとも一つの第２貫通孔とが互いに離間して設けられ、且つ分岐流路に連通し、通路基材は、少なくとも一つのチャンバーを更に凹設し、前記チャンバーは、前記第１貫通孔に連通する少なくとも一つの第１出口と、前記第２貫通孔に連通する少なくとも一つの第２出口とを設け、
前記少なくとも一つの圧電アクチュエータは、少なくとも一つのキャリアと前記少なくとも一つのキャリアの表面に粘着されている少なくとも一つの圧電セラミックスとで構成され、且つ前記圧電アクチュエータは前記チャンバーを覆い、
前記少なくとも一つの連結ロッドは、キャリアの他面に連結され、且つ前記第２出口を挿入して自由に変位でき、前記連結ロッドの一端は、前記第２出口の直径よりも大きい断面積を有する少なくとも一つのブロッキング部材を有し、前記第２出口を閉じることができ、
前記圧電アクチュエータが作動されることによって、前記連結ロッドのブロッキング部材が連動されて前記第２出口の開閉状態を制御し、流体を分岐流路から輸出させる、
ことを特徴とする流体システム。
【発明の詳細な説明】
【技術分野】
【０００１】
本発明は流体システムに関し、特に集積化して作製されたマイクロ流体制御システムに関する。
【先行技術】
【０００２】
近年、医学、コンピュータ技術、印刷、エネルギー産業などの様々な分野において、製品の微小化に進んでいる。その中では、マイクロポンプ、噴霧器、インクジェットヘッド、工業印刷装置などの製品に含まれている流体輸送構造は最も重要な構造であり、どのように革新的な構造を得られるのか、どのように技術的な欠点を解決するのかは重要な課題とされている。
【０００３】
技術の急速な発展に伴って、流体輸送装置の用途は、産業用途、生物医学用途、医療、電子放熱などますます多様化しており、かつウェアラブル装置としての用途もなされている。従来の流体輸送装置は、徐々に、装置の小型化と流速の最大化という傾向を示している。
【０００４】
しかしながら、現在の微小化された流体輸送装置は連続的に気体を輸送することができるが、微小化して限られた空間を有するチャンバー又は流路においてより多くの気体を輸送する要求があるが、その設計は困難である。したがって、弁部材を有する設計では、気流の連続性又は中断するように制御できることだけではなく、一方向への流通も制御でき、且つ限られた容積のチャンバー又は流路において気体を蓄積させて、最終的に気体量の輸送を向上させることができることが求められる。本発明は、このような事情に鑑みてなされたものである。
【発明の概要】
【０００５】
先行技術が流体システムの小型化への要求を満たすことができないという問題を解決するために、本発明は、集積化して作製された流体システムを提供している。前記流体システムは、流体動作領域と流体流路と合流チャンバーと複数の弁部材とを備える。前記流体動作領域は、一つ又は複数の流体誘導ユニットで構成され、各流体誘導ユニットは圧電ポンプであり、且つ出口孔を有する。前記流体流路は、流体動作領域での全ての流体誘導ユニットの出口孔に連通しており、且つ複数の分岐通路を有し、流体動作領域を分流して流体を輸送する。合流チャンバーは、流体流路と連通され、流体を前記合流チャンバーの内部に蓄積される。複数の弁部材は、それぞれ、前記複数の分岐通路に設けられ、弁部材の開閉状態を制御することによって、流体を前記分岐通路から輸出させる。
【０００６】
本発明の一つの実施形態においては、流体システムは、制御部を更に備え、前記複数の弁部材と電気的に接続され、弁部材の開閉状態を制御することができる。また、制御部と前記流体誘導ユニットとが、集積化して包装されている。流体動作領域は、複数の流体誘導ユニットを備え、且つ前記複数の流体誘導ユニットは、直列・並列配置に設けられ、流体を輸送する。前記流体誘導ユニットは、環状又はハニカム構造のように配置されても良い。前記複数の分岐通路の長さ及び幅は、特定の流体輸送量又は流速の需要に応じて予め設計され、且つ前記複数の分岐通路は、直列・並列配置に設けられている。
【０００７】
本発明のもう一つ好ましい実施形態においては、弁部材は、通路基材と、圧電アクチュエータと、連結ロッドとを備える。前記通路基材は、第１貫通孔と第２貫通孔を有し、前記第１貫通孔と前記第２貫通孔とが互いに離間して設けられ、且つ分岐流路に連通している。通路基材は、チャンバーを更に凹設し、前記チャンバーは、前記第１貫通孔に連通する第１出口と、前記第２貫通孔に連通する第２出口とを設けている。圧電アクチュエータは、キャリアと前記キャリアの表面に粘着されている圧電セラミックスとで構成され、且つ前記圧電アクチュエータは前記チャンバーを覆う。連結ロッドは、キャリアの他面に連結され、且つ前記第２出口を挿入して自由に変位することができる。前記連結ロッドの一端は、前記第２出口の直径よりも大きい断面積を有するブロッキング部材を有し、前記第２出口を閉じることができる。その中で、圧電アクチュエータが作動され、前記キャリアが変位するように駆動することで、前記連結ロッドのブロッキング部材が連動されて前記第２出口の開閉状態を制御し、流体を分岐流路から輸出することを制御する。上述した動作によって、弁部材は、圧電アクチュエータが作動していない状態では、設けられた分岐流路の開状態を維持し、圧電アクチュエータが作動している状態では、前記分岐流路を閉じることができる。或いは、圧電アクチュエータが作動していない状態では、設けられた分岐流路の閉状態を維持し、圧電アクチュエータが作動している状態では、前記分岐流路を開くことができる。
【０００８】
上記の設計により、本発明の流体システムは、微小化された体積を有することができ、且つ特定の流速、圧力及び輸送量で流体を輸出することができる。
【図面の簡単な説明】
【０００９】
【図１】図１は本発明の一つの好ましい実施形態における流体システムの構造概念図である。
【図２】図２Ａは本発明の一つの好ましい実施形態における流体誘導ユニットの構造概念図である。図２Ｂ〜図２Ｄは図２Ａに示されている流体誘導ユニットが作動している状態を示す図である。
【図３】図３Ａは本発明の一つの好ましい実施形態における流体動作領域の構造概念図である。図３Ｂは本発明の流体誘導ユニットが直列に接続された配置の構造概念図である。図３Ｃ図は本発明の流体誘導ユニットが並列に接続された配置の構造概念図である。図３Ｄは本発明の流体誘導ユニットが直列・並列に接続された配置の構造概念図である。
【図４】図４は本発明のもう一つの好ましい実施形態における流体動作領域の構造概念図である。
【図５】図５は本発明のもう一つの好ましい実施形態における流体動作領域の構造概念図である。
【図６】図６Ａ及び図６Ｂは本発明に係る弁部材の第１実施形態における作動状態を示す図である。
【図７】図７Ａ及び図７Ｂは本発明に係る弁部材の第２実施形態における作動状態を示す図である。
【発明を実施するための形態】
【００１０】
本発明の特徴及び優れる点をより具体化にしたいくつの例示的な実施形態は、以下の説明において詳しく説明する。本発明は、様々な態様において様々な変更が可能であり、限定として解釈されるものではないことを理解されたい。
【００１１】
図１〜図２Ｄ、又は図６Ａ〜図７Ｂを参照されたい。本発明は流体システム１００を提供し、少なくとも一つの流体動作領域１０、少なくとも一つの流体誘導ユニット１０ａ、少なくとも一つの出口孔１６０、少なくとも一つの流体流路２０、複数の分岐通路２０ａ、２０ｂ、２１ａ、２１ｂ、２２ａ、２２ｂ、少なくとも一つの合流チャンバー３０、複数の弁部材５０、５０ａ、５０ｂ、５０ｃ、５０ｄと、少なくとも一つ通路基材５１と、少なくとも一つの第１貫通孔５１１と、少なくとも一つの第２貫通孔５１２と、少なくとも一つのチャンバー５１３と、少なくとも一つの第１出口５１４と、少なくとも一つ第２出口５１５と、少なくとも一つの圧電アクチュエータ５２と、少なくとも一つのキャリア５２１と、少なくとも一つの圧電セラミックス５２２と、少なくとも一つの連結ロッド５３と、少なくとも一つのブロッキング部材５３１とを備える。以下の実施形態において、流体動作領域１０、流体流路２０、合流チャンバー３０、通路基材５１、第１貫通孔５１１、第２貫通孔５１２、チャンバー５１３、第１出口５１４、第２出口５１５、圧電アクチュエータ５２、キャリア５２１、圧電セラミックス５２２、連結ロッド５３、ブロッキング部材５３１の数量が一つであることを例として説明されているが、これには限定されず、流体動作領域１０、流体流路２０、合流チャンバー３０、通路基材５１、第１貫通孔５１１、第２貫通孔５１２、チャンバー５１３、第１出口５１４、第２出口５１５、圧電アクチュエータ５２、キャリア５２１、圧電セラミックス５２２、連結ロッド５３、ブロッキング部材５３１は複数個を組み合わせてなるのもでも良い。
【００１２】
図１を参照されたい。図１は、本発明の一つの好ましい実施形態における流体システムの構造概念図である。本発明の流体システム１００は、流体動作領域１０、流体流路２０、合流チャンバー３０、複数の弁部材５０ａ、５０ｂ、５０ｃ、５０ｄ、及び制御部６０を備える。本発明の好ましい実施形態においては、上述した全ての構成が基材１１に包装されて、集積化されたマイクロ構造を形成する。その中で、流体動作領域１０が一つ又は複数の流体誘導ユニット１０ａで構成され、これらの流体誘導ユニット１０ａが直列、並列、又は直列・並列に接続された配置であり、各流体誘導ユニットが作動した後に各自の内部に圧力差が生じることで、気体である流体を吸入して、設けられた出口孔（図１には図示せず）を介して加圧して吐出する。これによって、流体の輸送を達成することができる。
【００１３】
本実施形態において、流体動作領域１０は、４つの流体誘導ユニット１０ａを含み、且つ前記流体誘導ユニット１０ａが直列・並列に接続して配置されている。流体流路２０は、流体動作領域１０での全ての流体誘導ユニット１０ａの出口孔（図１には図示せず）に連通しており、これらの流体誘導ユニット１０ａから排出された流体を受け取る。流体誘導ユニット１０ａと流体流路２０との構造、作動方式及び設置方式は後述する。流体流路２０は、複数の分岐通路２０ａ及び２０ｂをさらに備え、当該流体動作領域１０から排出された流体を分流して所要の輸送量を形成する。実施形態においては、分岐通路２０ａ及び２０ｂを用いて説明しているが、これには限定されない。合流チャンバー３０が分岐通路２０ａ及び２０ｂに連通することによって、流体流路２０に連通し、輸送流体を合流チャンバー３０内部に蓄積させ、流体システム１００を制御して輸出する必要がある時に、流体流路２０の輸出に供給し、流体の輸送量を増大させることができる。
【００１４】
上述した分岐通路２０ａ、２０ｂが流体流路２０に連通する方式について、図では分岐通路２０ａ、２０ｂと流体流路２０とが並列に接続して配置されていることを示しているが、これには限定されない。複数の分岐通路２０ａ、２０ｂを直列に接続して配置しても良く、或いは複数の分岐通路２０ａ、２０ｂを直列・並列に接続して配置しても良い。その中で、複数の分岐通路２０ａ、２０ｂの長さ及び幅は、いずれも、所要の特定の輸送量に応じて予め設計することができ、すなわち、分岐通路２０ａ、２０ｂの長さ及び幅に関する設計は、輸送量の流速及び輸送量の多少に影響を与え、所要の特定の輸送量に従って長さ及び幅を予め計算することによって得られる。
【００１５】
本実施形態において、図に示すように、分岐通路２０ａは、分岐して連通する２つの分岐通路２１ａ、２２ａを備える。同じように、分岐通路２０ｂも分岐して連通する２つの分岐通路２１ｂ、２２ｂを備える。図においては分岐通路２１ａ、２２ａがそれぞれ分岐して連通されている分岐通路２０ａ、２０ｂと直列に接続して配置されていることであるが、これには限定されない。さらに、複数の分岐通路２１ａ、２２ａを並列に接続して配置しても良く、或いは複数の分岐通路２１ａ、２２ａを直列・並列に接続して配置しても良い。複数の弁部材５０ａ、５０ｃ、５０ｂ及び５０ｄは、アクティブ弁部材又はパッシブ弁部材でである。本実施形態においてアクティブ弁部材であり、且つそれぞれ分岐通路２１ａ、２２ａ、２１ｂ、２２ｂに順次配置されている。弁部材５０ａ、５０ｃ、５０ｂ及び５０ｄは、設けられた分岐通路２１ａ、２２ａ、２１ｂ、２２ｂの連通状態を制御することができる。例えば、弁部材５０ａが開くと、分岐通路２１ａを開いて流体を輸出領域Ａに輸出する。弁部材５０ｂが開くと、分岐通路２１ｂを開いて流体を輸出領域Ａに輸出する。弁部材５０ｃが開くと、分岐通路２２ａを開いて流体を輸出領域Ａに輸出する；弁部材５０ｄが開くと、分岐通路２２ｂを開いて流体を輸出領域Ａに輸出する。制御部６０は、２本の電気的な接続線６１０、６２０を有し、電気的な接続線６１０が弁部材５０ａ、５０ｄの開閉状態を制御するように電気的に接続され、電気的な接続線６２０が弁部材５０ｂ、５０ｃの開閉状態を制御するように電気的に接続されている。これにより、弁部材５０ａ、５０ｂ、５０ｃ及び５０ｄが制御部６０によって駆動され、それに対応して設けられた分岐通路２１ａ、２２ａ、２１ｂ、２２ｂの連通状態を制御し、結果としては、流体を輸出領域Ａに輸出することを制御することができる。
【００１６】
図２Ａを参照されたい。図２Ａは本発明の一つの好ましい実施形態における流体誘導ユニットの構造概念図である。本発明の一つの好ましい実施形態では、流体誘導ユニット１０ａは圧電ポンプでも良い。図に示すように、各流体誘導ユニット１０ａは、入口板１７、基材１１、共振板１３、作動板１４、圧電素子１５及び出口板１６などの構成で順次集積してなる。その中で、入口板１７は、少なくとも一つの入口孔１７０を有し、共振板１３は中空孔１３０及び可動部材１３１を有し、可動部材１３１は、共振板１３が基材１１に固設されていない部分で形成された可撓構造であり、且つ可動部材１３１の中心部の位置付近に中空孔１３０が設けられている。共振板１３と入口板１７との間に第１チャンバー１２が形成されている。作動板１４は中空浮動構造であり、浮揚部材１４１、外枠部材１４２及び複数の空隙１４３を有する。作動板１４の浮揚部材１４１は、複数の連接部材（図示せず）が外枠部材１４２に連接することによって、浮揚部材１４１を外枠部材１４２中に浮動させ、且つ、気体の流通するように、浮揚部材１４１と外枠部材１４２との間に複数の空隙１４３が形成されている。浮揚部材１４１、外枠部材１４２及び空隙１４３の設置方式、実施形態及び数量はこれには限定されず、実際の状況に応じて変更することができる。好ましくは、作動板１４は金属材料の薄膜又はポリシリコンからなる薄膜で構成され、ただし、これには限定されない。作動板１４と共振板１３との間には隙間ｇ０があり、第２チャンバー１８を形成する。出口孔１６０が出口板１６に設けられ、且つ、作動板１４と出口板１６との間に第３チャンバー１９が形成される。
【００１７】
本発明の好ましい実施形態において、流体誘導ユニット１０ａの基材１１は駆動回路（図示せず）を更に備え、圧電素子１５の正極及び陰極と電気的に接続されるように用いられる。これによって、圧電素子１５に駆動電源を提供することができるが、これには限定されない。駆動回路は、流体誘導ユニット１０ａ内部の任意の位置に配置されることができ、実際の状況に応じて変更することができる。
【００１８】
図２Ａ〜図２Ｃを参照されたい。図２Ｂ〜図２Ｄは、図２Ａに示されている流体誘導ユニット１０ａが作動する状態を示す図である。図２Ａにしめされているのは、流体誘導ユニット１０ａが作動していない状態（すなわち、初期状態）である。圧電素子１５に電圧を印加すると、変形が生じ、作動板１４が垂直方向に沿って往復振動するように駆動される。図２Ｂに示すように、作動板１４の浮揚部材１４１が上に振動すると、第２チャンバー１８の体積を増大させ、圧力が減少し、流体が入口板１７上の入口孔１７０から外部圧力に応じて流入して第１チャンバー１２のところに合流し、共振板１３に第１チャンバー１２と対応して設けられた中央孔１３０より上に流れて第２チャンバー１８に流入する。
【００１９】
そして、図２Ｃに示すように、作動板１４の浮揚部材１４１の振動より、共振板１３が共振し、可動部材１３１も上方に振動するようになる。この時に、作動板１４の浮揚部材１４１は下方に振動し、共振板１３の可動部材１３１が作動板１４の浮揚部材１４１の下方に付着して当接するようになる。なお、この際に、共振板１３の中央孔１３０と第２チャンバー１８との間にある流通空隙が閉じられ、第２チャンバー１８は、圧縮を受けて体積が小さくなり、圧力が増大する。これに対して、第３チャンバー１９は体積が増大し、圧力が小さくなる。これによって、圧力勾配が形成され、第２チャンバー１８中の流体が圧力を受けて両側に流され、作動板１４の複数の空隙１４３を介して第３チャンバー１９中に流入する。図２Ｄに示すように、作動板１４の浮揚部材１４１が下方に振動し続け、共振板１３の可動部材１３１が下方に振動するように連動し、第２チャンバー１８を更に圧縮させ、流体の大部分は一時的な貯蔵のために第３のチャンバー１９に流入する。
【００２０】
最後に、作動板１４の浮揚部材１４１が上方に振動し、第３チャンバー１９を圧縮させて体積が小さくなり、圧力が増大し、第３チャンバー１９内部の流体を出口板１６の出口孔１６０から流出させ、出口板１６の外部へ誘導して流体の輸送を達成する。上述した動作は、作動板１４が往復振動を行う時に、完全な振動の動作が完了する。圧電素子１５が作動した状態では、作動板１４の浮揚部材１４１と共振板１３の可動部材１３１とが上述した動作を繰り返し行うことで、流体を入口孔１７０から出口孔１６０へ加圧吐出させ、流体の輸送を達成する。本発明のある実施形態においては、共振板１３の垂直往復振動頻度は、作動板１４の振動頻度と同じになってもよく、すなわち、両者が同時に上向きまたは下向きであってもよく、実際の状況に応じて任意に変更することでも良い。本実施形態に示す動作形態に限定されるものではない。
【００２１】
本実施形態の流体誘導ユニット１０ａの流路による圧力勾配では、流体が高速で流れ、且つ流路の流れ方向における抵抗が異なり、流入を吸入端から吐出端に転送し、吐出端では圧力を有する場合でも、流体を押し出せることができ、且つ騒音を抑えられる効果を奏する。
【００２２】
図３Ａを参照されたい。図３Ａは本発明の一つの好ましい実施形態における流体動作領域の構造概念図である。当該流体動作領域１０は、複数の流体誘導ユニット１０ａを備え、これらの流体誘導ユニット１０ａが特定の配置方式で当該流体動作領域１０より輸出される流体の輸送量を調整することができ、本実施形態において、これらの流体誘導ユニット１０ａは、直列・並列の方式で基材１１に配置されている。
【００２３】
図３Ｂ〜図３Ｃを参照されたい。図３Ｂは本発明の流体誘導ユニットが直列に接続された配置である構造を示す図である。図３Ｃは本発明の流体誘導ユニットが並列方式で配置された構造を示す図である。図３Ｄは本発明の流体誘導ユニットが直列・並列の方式で配置された構造を示す図である。図３Ｂに示すように、当該流体動作領域１０内の流体誘導ユニット１０ａが直列方式で配置され、流体誘導ユニット１０ａを直列方式で配置することによって、流体動作領域１０の出口孔１６０での流体の圧力を上昇させることができる。図３Ｃに示すように、当該流体動作領域１０内部の当該流体誘導ユニット１０ａが並列方式で配置され、流体誘導ユニット１０ａを並列方式で配置することによって、流体動作領域１０の出口孔１６０の輸出流体量を更に増大させることができる。図３Ｄに示すように、当該流体動作領域１０内部の当該流体誘導ユニット１０ａが直列・並列の方式で配置され、流体動作領域１０の圧力値および出力を同期して増加させることができる。
【００２４】
図４〜図５を参照されたい。図４は本発明のもう一つの好ましい実施形態における流体動作領域の構造を示す図である。図５は本発明のもう一つの好ましい実施形態における流体動作領域の構造を示す図である。図４に示すように、当該流体動作領域１０内部の当該流体誘導ユニット１０ａが環状の方式で配置されて流体を輸送する。図５に示すように、当該流体動作領域１０内部の当該流体誘導ユニット１０ａがハニカム方式で配置されている。
【００２５】
本実施形態においては、流体システム１００の流体誘導ユニット１０ａは、駆動回路に結合され、適用性に優れ、多様な電子部品に適用することができ、且つ同時に気体を輸送することができ、大容量の気体の輸送する需要を満たすことができる。さらに、流体誘導ユニット１０ａと、もう一つの流体誘導ユニット１０ａとが亦別々に制御して動作させたり、停止させたりすることも可能である。例えば、流体誘導ユニット１０ａ作動し、もう一つの流体誘導ユニット１０ａが停止してもよく、又は交互に作動しても良い。ただし、これに限定されるものではなく、様々な気体の流通を容易に実現することができ、且つ、消費電力を大幅に低減することができる。
【００２６】
図６Ａ〜図６Ｂは、本発明の弁部材が第１実施形態において作動している状態を示す図である。弁部材５０は、通路基材５１、圧電アクチュエータ５２、連結ロッド５３を備える。以下の本実施形態の弁部材５０が分岐通路２１ａに設けられたことを説明するが、他の分岐通路２２ａ、２１ｂ、２２ｂに設けられた弁部材５０の構造及び動作は同じであるため、ここでは省略する。通路基材５１は、第１貫通孔５１１及び第２貫通孔５１２を備え、それぞれ分岐通路２１ａに連通しており、且つ通路基材５１によって互いに離隔して配置されている。通路基材５１の上方にチャンバー５１３が凹設され、チャンバー５１３には、第１貫通孔５１１に連通する第１出口５１４が設けられ、且つ第２貫通孔５１２に連通する第２出口５１５が設けられている。圧電アクチュエータ５２は、キャリア５２１及び圧電セラミックス５２２を備える。キャリア５２１が以可撓性材料で構成され、圧電セラミックス５２２がキャリア５２１の一つの表面に付着し、且つ制御部６０に電気的に接続されている。圧電アクチュエータ５２がチャンバー５１３を覆い、キャリア５２１上に設けられている。連結ロッド５３は、キャリア５２１の他面に連結され、且つ第２出口５１５を挿入して垂直方向に自由変位できる。連結ロッド５３の一端には、第２出口５１５の開孔の直径よりも大きい断面積を有するブロッキング部材５３１が設けられ、第２出口５１５の連通を閉じることにより制限する。ブロッキング部材５３１は、平板形状又はドーム形状であってもよい。
【００２７】
図６Ａ示すように、弁部材５０は、圧電アクチュエータ５２が作動していない状態では、連結ロッド５３は常に開いている初期位置にある。この時に、ブロッキング部材５３１と第２出口５１５との間に流通空間を有し、第２貫通孔５１２、チャンバー５１３及び第１貫通孔５１１を当該流体空間により互いに連通させ、分岐通路２１ａに連通して輸送流体を通過させることができる。これに対して、図６Ｂに示すように、圧電アクチュエータ５２が作動すると、圧電セラミックス５２２は、キャリア５２１を上方に撓ませるように駆動し、連結ロッド５３がキャリア５２１の連動を受けて上方に移動し、ブロッキング部材５３１が第２出口５１５の開口を遮るようになる。この時に、ブロッキング部材５３１が第２出口５１５を遮り、輸送流体を通過させないこととする。上述した作動方式によって、弁部材５０が作動していない状態では分岐通路２１ａの開状態を維持し、作動している状態では分岐通路２１ａを閉じることができる。すなわち、弁部材５０は、第２貫通孔５１２の開閉状態を制御することによって、流体が分岐通路２１ａから輸出することを制御できる。
【００２８】
図７Ａ〜図７Ｂは、本発明の弁部材が第２実施形態において作動している状態を示す図である。弁部材５０の構造は同じであるため、その説明はここで省略し、弁部材５０が作動していない状態では常に閉じる状態の動作について説明する。
【００２９】
図７Ａに示すように、弁部材５０は、圧電アクチュエータ５２が作動していない状態では、連結ロッド５３が常に閉じる初期位置にある。この時に、ブロッキング部材５３１が第２出口５１５の開口を閉じ、輸送流体を通過させないこととする。図７Ｂに示すように、圧電アクチュエータ５２が作動すると、圧電セラミックス５２２は、キャリア５２１を下方に撓ませるように駆動し、連結ロッド５３は、キャリア５２１の連動を受け下方に移動する時、ブロッキング部材５３１と第２出口５１５との間に流動空間を有し、第２貫通孔５１２、チャンバー５１３及び第１貫通孔５１１を当該流体空間により互いに連通させ、分岐通路２１ａに連通して輸送流体を通過させることができる。上述した作動方式によって、弁部材５０が作動していない状態では、分岐通路２１ａの閉状態を維持し、作動している状態では、分岐通路２１ａを開くことができる。すなわち、弁部材５０は、第２貫通孔５１２の開閉状態を制御することによって、流体が分岐通路２１ａから輸出することを制御できる。
【００３０】
上述したとおり、本発明が提供する流体システムは、少なくとも一つの流体誘導ユニットを介して、気体を合流チャンバー内に輸送し、且つ分岐通路内の弁部材を用いて流体システムが輸出する流体の流量、流速及び圧力を更に制御・調整する。さらに、本発明は、流体誘導ユニットを介して、分岐通路の数量、設置方式及び駆動方式などにより、多様な機器や気体輸送の需要に対応することができ、高輸送量、効率良く、且つ適用性に優れる効果を奏することができる。
【００３１】
本発明の技術方案の範囲を逸脱しない範囲で、当業者が、上記の技術内容に基づいて行う変更、修飾は、同等に変化した等価の実施例であり、本発明の技術方案を逸脱しない限り、本発明の要旨に基づいて上記実施例に対して行ういかなる簡単な修正、同等変化、及び修飾は、いずれも本発明の技術方案の範囲内に属するものである。
【符号の説明】
【００３２】
１００：流体システム
１０：流体動作領域
１０ａ：流体誘導ユニット
１１：基材
１２：第１チャンバー
１３：共振板
１３０：中空孔
１３１：可動部材
１４：作動板
１４１：浮揚部材
１４２：外枠部材
１４３：空隙
１５：圧電素子
１６：出口板
１６０：出口孔
１７：入口板
１７０：入口孔
１８：第２チャンバー
１９：第３チャンバー
２０：流体流路
２０ａ、２０ｂ、２１ａ、２１ｂ、２２ａ、２２ｂ：分岐通路
３０：合流チャンバー
５０、５０ａ、５０ｂ、５０ｃ、５０ｄ：弁部材
５１：通路基材
５１１：第１貫通孔
５１２：第１貫通孔
５１３：チャンバー
５１４：第１出口
５１５：第２出口
５２：圧電アクチュエータ
５２１：キャリア
５２２：圧電セラミックス
５３：連結ロッド
５３１：ブロッキング部材
６０：制御部
６１０、６２０：電気的な接続線
ｇ０：隙間
Ａ：輸出領域
【図１】
2019065846.tif 000003
【図２Ａ】
2019065846.tif 000004
【図２Ｂ】
2019065846.tif 000005
【図２Ｃ】
2019065846.tif 000006
【図２Ｄ】
2019065846.tif 000007
【図３Ａ】
2019065846.tif 000008
【図３Ｂ】
2019065846.tif 000009
【図３Ｃ】
2019065846.tif 000010
【図３Ｄ】
2019065846.tif 000011
【図４】
2019065846.tif 000012
【図５】
2019065846.tif 000013
【図６Ａ−６Ｂ】
2019065846.tif 000014
【図７Ａ−７Ｂ】
2019065846.tif 000015
【外国語明細書】
2019065846000001.pdf